(57)【要約】【課題】ガット網面が弾性に優れ、ガットが切れにくく、振動を抑える効果があり、これにより、よりよい打球の効果を提供できるラケットを提供する。【解決手段】ラケットフレーム２０、少なくとも１つ以上のガット保護材３０、及びガット５０を備える。ラケットフレーム２０は外周部２４及び内周部２２を有し、外周部２４と内周部２２とを貫通するように複数のガット挿通孔を有している。ラケットフレーム２０は外周面２４に少なくとも１つ以上の基部２８を形成し、基部２８は２つのガット挿通孔の間にある。ガット保護材３０は基部２８に装着されている。ガット５０は各ガット挿通孔を挿通し、かつ各ガット保護材３０に通して張設される。【選択図】図１
0003123245.tif 000002
【実用新案登録請求の範囲】
【請求項１】
外周部及び内周部を有し、前記外周部と前記内周部とを貫通するように複数のガット挿通孔を有し、前記外周部に少なくとも1つ以上の基部を形成し、前記基部は２つのガット挿通孔の間にあるラケットフレームと、
基部に装着されている少なくとも1つ以上のガット保護材と、
前記各ガット挿通孔に挿通され、かつ前記各ガット保護材に通して張設されるガットと、
を備えることを特徴とするラケット。
【請求項２】
前記基部は前記ラケットフレームの左側、右側、天井側または底側に配置されていることを特徴とする請求項１に記載のラケット。
【請求項３】
前記ガット挿通孔に嵌挿される複数のグロメットをさらに備え、前記各グロメットはガットを穿設するように備えられた通孔を有していることを特徴とする請求項１に記載のラケット。
【請求項４】
ガット保護体をさらに備え、ガット保護体は帯部と前記帯部より外に延長形成される多数のグロメット筒部とを有し、前記各グロメット筒部は前記各ガット挿通孔に挿通され、かつガットを穿設するように備えられた通孔を有することを特徴とする請求項１に記載のラケット。
【請求項５】
前記ガット保護材はナイロン、ポリウレタン、或いは熱可塑性ゴムからなることが可能であることを特徴とする請求項１に記載のラケット。
【考案の詳細な説明】
【技術分野】
【０００１】
本発明は、スポーツ用品に関し、特によりよい打球の効果を提供できる一種のラケットに関する。
【背景技術】
【０００２】
一般のラケットは主にラケットフレームを備える。前記ラケットフレームは内周部と外周部とを有し、かつ、前記ラケットフレームは前記外周部と前記内周部とを貫通するように複数のガット挿通孔を設けてあり、ガットはこのガット挿通孔に穿設されることによりガット網面が形成される。ガットを保護するためには、ガット挿通孔ごとに挿通されるガット保護部材のグロメットを装着しなければならない。
【０００３】
ガットはグロメットに挿通された後、まず約９０度で折り曲げられて別のグロメットまで延伸してから、もう一回約９０度で折り曲げられることではじめて別のグロメットに挿通されることができる。それで前記ガットと前記各グロメットの間にかなり大きな摩擦力が生じ、前記ラケットでボールを撃つ時に前記ガットの位置は基本的に固定であり、変位することがないので、前記ガットは打球瞬間に起こる張力の不均衡による位置の調整ができない。その結果、一方で張力が過大になるところではガット切れが起こりやすくなり、他方ではこのラケットはボールを撃つ時の打球感（手に伝播する振動）が比較的硬くなり、かつ打球時に生じる振動が利用者のスポーツ障害を引き起こす恐れもある。
【考案の開示】
【考案が解決しようとする課題】
【０００４】
本発明の主な目的は一種のラケットを提供することにある。このラケットのガット網面が弾性に優れ、ガットが切れにくく、しかも振動を抑える効果があり、これによりよりよい打球の効果を提供できる。
【課題を解決するための手段】
【０００５】
上記目的を達成するために、本発明で提供されるラケットは、ラケットフレーム、少なくとも1つ以上のガット保護材、及びガットを備える。前記ラケットフレームは外周部、及び内周部を有し、前記外周部と前記内周部とを貫通するように複数のガット挿通孔を有している。前記ラケットフレームは前記外周面に少なくとも1つ以上の基部を形成し、前記基部は２つのガット挿通孔の間にある。ガット保護材は前記基部に装着されている。前記ガットは前記各ガット挿通孔を挿通し、かつ前記各ガット保護材に通して張設される。
【０００６】
本発明では、前記ラケットは、ガット挿通孔に嵌挿され、かつガットを穿設する通孔が備えられた複数のグロメットを有してもよい。これによって、本発明で提供されるラケットのガット網面が弾性に優れ、ガットが切れにくくなり、しかも前記各ガット保護材の弾力により打球時に生じる振動を抑えることができ、これをもってよりよい打球の効果を提供する目的を達成できる。
【考案を実施するための最良の形態】
【０００７】
ここに図面をもとに以下の比較的よい実施例を挙げることによって、本発明の構造及び効果に関する詳細な説明を行う。まずその中の用いた図面を次のように簡単に説明する。
図１は、本発明の一実施例を示す斜視図である。
図２は、本発明の一実施例の一部を示す拡大図である。
図３は、本発明の一実施例の一部を示す断面図である。
図４は、本発明の一実施例の別の様態の一部を示す断面図である。
【０００８】
まずは図１及び図２を参照する。本発明の一実施例で提供された一種のラケット１０は、ラケットフレーム２０、複数のガット保護材３０、複数のグロメット４０及びガット５０を備える。
前記ラケットフレーム２０は炭素繊維の材質からなる。前記ラケットフレーム２０は内周部２２と外周部２４とを有し、前記外周部２４と前記内周部とを貫通するように複数のガット挿通孔２６を設けてある。前記ラケットフレーム２０は前記外周部２４に形成される矩形に近い形状を呈する複数の基部２８が、前記外周部２４の左側、右側、天井側または底側に配置されてもよい。本実施例では前記各基部２８が外周部２４の左と右の両側に配置されており、かつ２つのガット挿通孔の間にある。そのほか、前記ラケットフレーム２０の外周部２４より外に延長形成されるグリップ部２９は使用者がラケットを握るために供するものである。
【０００９】
前記各ガット保護材３０はナイロン、ポリウレタン或いは熱可塑性ゴムからなる。本実施例では各ガット保護材３０は熱可塑性ゴムからなる。前記各ガット保護材３０が矩形に近い形状を呈し、かつその形状は前記各基部２８と合致するものであるので、前記各基部２８に前記各ガット保護材３０を装着させることができる。
図３を参照する。前記各グロメット４０は前記ラケットフレーム２０のガット挿通孔２６に嵌挿され、かつ、通孔４２を有している。そのほか、図４に示したように、前記各グロメット４０はガット保護体６０に取って代わられることもできる。ガット保護体６０は帯部６２と前記帯部６２より外に延長形成される複数の筒部（グロメット）６４とを有している。前記各筒部（グロメット）６４は同様に前記各ガット挿通孔２６に挿通され、かつ通孔６４２を有している。
前記ガット５０は前記各グロメット４０の通孔に挿通されるか前記ガット保護体６０の通孔６４２に挿通されている。本実施例では、前記ガット５０は前記各グロメット４０の通孔４２に挿通されてから前記各ガット保護材３０に通されて張設されることにより、ボールを撃つガット網面が形成される。
【００１０】
上述の構造で、前記ガット５０がグロメット４０に挿通された後、まず一角度で折り曲げられて前記ガット保護材３０を通してから、もう一回一角度で折り曲げられることではじめて別のグロメット４０に挿通されることができる上に、前記ガット保護材３０の外縁はアーチ状に跨ぐような円弧形状を呈するように構成されているので、前記ガット５０の折れ曲がりを緩やかな状態とするため、前記ガット５０と前記グロメット４０及び前記保護材３０の間に生じる摩擦力を効果的に減少させることができ、利用者が前記ラケット１０を使ってボールを撃つ時、前記ガット５０は打球瞬間に起こる張力不均衡時に位置を調整することもできるので、前記ラケット１０のガット網面に比較的高い弾性を持たせ、かつガットが切れにくくなる。そのほか、前記ラケットは前記各保護材３０自体の持つ弾性により、打球時に生じる振動を吸収することができるので、これをもって同様によりよい打球の効果を提供する目的を達成することができる。
これによって、本実施例で提供されるラケットはガット網面が弾性に優れ、ガットが切れにくくなるだけでなく、打球時に生じる振動も吸収できるので、よりよい打球の効果を得られる。そのほか、前記各ガット保護材３０はより鮮やかな色を採用するものであれば、前記ラケットの視覚効果がさらに向上することになるので、利用者の購入意欲を促進させることができる。
【図面の簡単な説明】
【００１１】
【図１】本発明の一実施例によるラケットを示す斜視図である。
【図２】本発明の一実施例によるラケットの一部を示す拡大図である。
【図３】本発明の一実施例によるラケットの一部を示す断面図である。
【図４】本発明の一実施例によるラケットの別の様態の一部を示す断面図である。
【符号の説明】
【００１２】
１０  ラケット、２０  ラケットフレーム、２２  内周部、２４  外周部、２６  ガット挿通孔、２８  基部、２９  グリップ部、３０  ガット保護材、４０  グロメット、４２  通孔、５０  ガット、６０  ガット保護体、６２  帯部、６４  筒部（グロメット）、６４２  通孔
【図１】
0003123245.tif 000003
【図２】
0003123245.tif 000004
【図３】
0003123245.tif 000005
【図４】
0003123245.tif 000006